(57)【要約】【課題】  低音域から高音域にわたる全音域において力感豊かであるとともに、澄明感に富んだ打音を出すことができるスネア・ドラムを実現する。【解決手段】  スネアの両端にそれぞれ連結された繋止紐の一方を繋止してスネアの張りをタイトにするためのストレイナ１０を、トップ・リム５２とボトム・リム５３とを連結する複数のラグのうちの隣り合う２つのラグ２０ａ，２０ｂに固定された、狭幅の板状の支持部材１４により支持する。もう一方の繋止紐を繋止する繋止具３０を、隣り合う２つのラグ２０ｃ，２０ｄに固定された狭幅の板状の支持部材３４により支持する。【選択図】        図１
2005258253.tif 000002
【特許請求の範囲】
【請求項１】
トップ・ヘッドのタイトな張りを保持するためのトップ・リム（５２）とボトム・ヘッド（５７）のタイトな張りを保持するためのボトム・リム（５３）とを連結する複数のラグのうちの第１の少なくとも１つのラグ（２０ａ，２０ｂ）に固定された第１の支持手段（１４）により支持された、スネア（８０）の両端にそれぞれ連結された２つの繋止紐（８３ａ，８３ｂ）のうちの一方を繋止して前記スネアの張りをタイトにするためのストレイナ手段（１０）と、
前記複数のラグのうちの第２の少なくとも１つのラグ（２０ｃ，２０ｄ）に固定された第２の支持手段（３４）により支持された、前記２つの繋止紐のうちの他方を繋止する繋止手段（３０）と
を具備したスネア・ドラム。
【請求項２】
トップ・ヘッドのタイトな張りを保持するためのトップ・リム（５２）とボトム・ヘッド（５７）のタイトな張りを保持するためのボトム・リム（５３）とを連結する複数のラグのうちの第１の少なくとも１つのラグ（２０ａ，２０ｂ）と一体成型された第１の支持手段により支持された、スネア（８０）の両端にそれぞれ連結された２つの繋止紐（８３ａ，８３ｂ）のうちの一方を繋止して前記スネアの張りをタイトにするためのストレイナ手段（１０）と、
前記複数のラグのうちの第２の少なくとも１つのラグ（２０ｃ，２０ｄ）と一体成型された第２の支持手段により支持された、前記２つの繋止紐のうちの他方を繋止する繋止手段（３０）と
を具備したスネア・ドラム。
【発明の詳細な説明】
【技術分野】
【０００１】
本発明はスネア・ドラムに関する。具体的には、反響音を出すための多数の響線からなるスネアを、下方の鼓面に張るスネア・ドラムであって、低音域から高音域にわたる全音域において力感豊かであるとともに、澄明感に富んだ打音を出すことができるスネア・ドラムを提供せんとするものである。
【背景技術】
【０００２】
従来より用いられているスネア・ドラムの構成を、図５ないし図７に示し説明する。ここで、図５は、この従来例の構成を示す側面図、図６は底面図、図７は部分断面図である。
【０００３】
図５において、５１は、円筒状に形成されたシェルであり、その素材には、例えばメープル（楓）の単板が用いられ、その肉厚は例えば５mmである。このシェル５１の上端および下端には、図示されてはいない所定の厚さのプラスチック製の鼓面が張られている。また、シェル５１の上端部および下端部それぞれの外周面には、平面形状が環状で断面が段差状に形成された金属製の枠体であるトップ・リム５２およびボトム・リム５３が嵌合されている。
【０００４】
このトップ・リム５２およびボトム・リム５３は、上下両鼓面のタイトな張りを保持するためのものであり、その保持状態は、シェル５１には当接していない角柱状の複数のラグ５４ａ〜ｅを介して、トップ・リム５２およびボトム・リム５３を相互に引っ張り合うようにして連結することにより維持される。両者の連結は、トップ・リム５２およびボトム・リム５３に穿設された孔部に、各ねじ５５ａ−１，−２を通したうえで、ラグ５４ａの両端部に螺合させ、その頭部５６ａ−１，−２を回すことにより行う。なお、ここでは、説明を簡単にするため、１つのラグ５４ａについてのみ説明したが、他の各ラグ５４ｂ〜ｅも同じである。
【０００５】
このようにしてタイトな張りが保持される上下両鼓面のうち、下方の鼓面であるボトム・ヘッドには、図６に示すように、ドラムの打音に反響音を与えるための、スチール製の多数の響線８１からなるスネア８０が張られている。ここにおける響線８１は、螺旋状に形成され（図６では直線状に簡略化して図示している。）、その両端部は、細い角柱状の棒材８２ａ，８２ｂに固着されている。
【０００６】
そして、響線８１が固着された各棒材８２ａ，８２ｂには、それぞれ繋止紐８３ａ，８３ｂが連結されており、一方の繋止紐８３ａは、スネア８０の張りをタイトにするためのストレイナ６０に繋止され、他方の繋止紐８３ｂは、繋止具７０に繋止される。なお、図６に示すように、響線８１の長さがボトム・ヘッド５７の直径よりも短いスネア８０を「内面当たり」という。これに対して、響線の長さがボトム・ヘッド５７の直径よりも長く、響線がボトム・ヘッド５７に直径方向全体にわたって当接するスネアを「全面当たり」といい、この全面当たりの方がスネアによる反響音が大きい。
【０００７】
図７（ａ）および（ｂ）は、各繋止紐８３ａ，８３ｂが繋止されるストレイナ６０および繋止具７０のそれぞれの構成並びに取付状態を示すものである。
【０００８】
図７（ａ）において、ストレイナ６０は、一軸方向（図面上で上下方向）において移動可能な可動体６１と、可動体６１の移動をガイドするガイド部材６２と、回動することにより可動体６１を一軸方向において移動させる、可動体６１と連結したレバー６３とを、主要な構成要素としている。上述の繋止紐８３ａは、可動体６１の下端部に繋止される。
【０００９】
このように構成されたストレイナ６０は、図示するように、肉厚が２〜３mmのゴム板６４を介して、ガイド部材６２をねじ６５およびナット６６を用いてシェル５１（図５）に固定することにより取り付けられている。
【００１０】
他方、繋止具７０は、図７（ｂ）に示すように、ねじ７１と、ねじ７１が回ることにより押圧される、繋止紐８３ｂを押止する押止板７２と、押止板７２により押止される繋止紐８３ｂを受ける、取っ手状の受け部７３とにより構成されている。そして、繋止具７０は、繋止紐８３ｂの受け部７３の２箇所を、ねじ７４とナット７５を用いてシェル５１に固定することにより取り付けられている。
【００１１】
以上のように構成されたスネア・ドラム５０（図５）を使用する場合は、まず、スネア８０（図６）に連結された一方の繋止紐８３ｂを、繋止具７０に繋止する。ついで、ストレイナ６０のレバー６３（図７（ａ））をオフにした状態で、他方の繋止紐８３ａを、可動体６１の移動距離を考慮して可動体６１に繋止する。
【００１２】
繋止紐８３ａが可動体６１に繋止されたならば、レバー６３を回動させてオンにする。これにより、可動体６１が移動して繋止紐８３ａが引っ張られ、スネア８０はタイトに張られることになる。なお、ストレイナ６０には、可動体６１の移動距離を微調整する機構が別に設けられており、必要に応じて可動体６１の移動距離を微調整して、スネア８０を所望の張り具合にする。
【００１３】
このようにして、ボトム・ヘッド５７（図６）に当接するスネア８０の張りをタイトにし、その張り具合を調整したうえで、スネア・ドラム５０の上方の鼓面であるトップ・ヘッドをスティックで叩打すると、スネア８０を使用しないドラムでは得られない反響音を出すことができることになる。
【非特許文献１】黒沢隆朝著「図解世界楽器大事典」雄山閣出版  １９９４年
【発明の開示】
【発明が解決しようとする課題】
【００１４】
しかしながら、図５ないし図７により説明した従来例によると、つぎのような解決すべき課題がある。すなわち、第１に、ストレイナ６０および各繋止紐８３ａ，８３ｂの繋止具７０は、シェル５１に孔を穿設したうえで、この孔にそれぞれ通されたねじ６５，７４（図７）にナット６６，７５を螺合することにより、シェル５１自体に取り付けている。そのため、上方の鼓面であるトップ・ヘッドを叩打したとき、シェル５１の振動が損なわれてしまう。シェル５１の振動が損なわれれば、その分、シェル５１の振動による打音の力感が失われることになる。
【００１５】
第２に、ストレイナ６０および繋止具７０が、シェル５１自体に取り付けられていることから、トップ・ヘッドを叩打したときに生ずるシェル５１の振動が、ストレイナ６０および繋止具７０を介して、これらと繋止紐８３ａ，８３ｂによって連結されているスネア８０に伝達する。その結果、スネア８０には、トップ・ヘッドからの振動を受けたボトム・ヘッド５７（図６）の振動と、ストレイナ６０および繋止具７０を介したシェル５１からの振動とが加えられることになる。ボトム・ヘッド５７の振動とシェル５１からの振動の双方が、スネア８０に加えられれば、まとまり感のある打音が得られないため、音の澄明感が失われて聴者には耳ざわりな音感を与えてしまうことになる。以上のような解決すべき課題が、図５ないし図７により説明した従来例にはあった。
【課題を解決するための手段】
【００１６】
そこで、上記課題を解決するために、本発明はなされたものである。そのために、本発明では、つぎのような手段を用いるようにした。すなわち、トップ・ヘッドのタイトな張りを保持するトップ・リムと、ボトム・ヘッドのタイトな張りを保持するボトム・リムとを連結する複数のラグのうちの少なくとも１つのラグに固定され、あるいは、少なくとも１つのラグと一体成型された支持手段により、スネアに連結された繋止紐のうちの一方を繋止してスネアの張りをタイトにするストレイナを支持する。スネアに連結された他方の繋止紐を繋止する繋止具を、少なくとも１つのラグに固定され、あるいは、少なくとも１つのラグと一体成型された支持手段により支持する。以上のような手段を用いるようにした。
【発明の効果】
【００１７】
本発明によるならば、ストレイナおよび繋止紐の繋止具が、シェルに当接することなく、これより一定の距離をおいた部位に配設される。また、シェルには、ストレイナおよび繋止具を取り付けるための孔が穿設されない。その結果、スネア・ドラムの打音が、低音域から高音域にわたる全音域において音圧レベルが高くなり、打音が大きくなる。したがって、響線の長さがボトム・ヘッドの直径よりも短い内面当たりのスネア用いても、響線の長さがボトム・ヘッド５７の直径よりも長く、響線がボトム・ヘッドに直径方向全体にわたって当接する全面当たりのスネアを用いた場合と同等またはそれ以上の打音を得ることができる。
【００１８】
とくに、低音域において音圧レベルが高くなり、重量感にあふれた力強い低音を出すことができる。また、スネアには、シェルからの振動が加わらず、ボトム・ヘッドの振動のみが加わるので、まとまり感があり澄明感に富んだ打音となる。さらに、細かな音も出るので、スティックの僅かな動きでもそれが打音となり、連続音であっても１つ１つの打音に分離感がある。すなわち、スネア・ドラムのプレイヤーの演奏技術や個性を充分に発揮し表現することが可能となる。したがって、本発明によりもたらされる効果は、極めて大きい。
【発明を実施するための最良の形態】
【００１９】
本発明を実施するための最良の形態を、図１ないし図３に示し説明する。ここで、図１および図２は、本発明によるスネア・ドラムの要部の構成を示す部分側面図、図３は部分断面図であり、図５および図６における構成要素と同一の構成要素については、同じ符号を付している。
【００２０】
図１は、本発明によるスネア・ドラム１におけるストレイナ１０を示しており、図５ないし図７により説明した従来例におけるストレイナ６０と異なるところを説明する。本発明によるスネア・ドラム１では、一軸方向において移動可能な可動体１１と、可動体１１の移動をガイドするガイド部材１２と、可動体１１を移動させる、可動体１１と連結したレバー１３を主要な構成要素とするストレイナ１０は、隣り合う２つのラグ２０ａ，２０ｂに固定された、狭幅の板状の支持部材１４に載置するようにして取り付けられて支持されている。ここに示したストレイナ１０の構成は、従来例におけるストレイナ６０の構成とは異なるが、その構成自体は、本願発明の特徴となる要旨ではない。
【００２１】
ここにおけるラグ２０ａの下方側には、このラグ２０ａに螺合するねじ５５ｅ−２に、これと部分的に重合する中空のねじ２２ａが螺合している。そして、このねじ２２ａを支持部材１４の端部に穿設されている孔に通したうえで、これにナット２１ａを螺合することにより、支持部材１４の端部が固定される。支持部材１４の他方の端部も同様にして固定される。なお、図中、５８ａは、ストレイナ１０に繋止する、スネア８０（図６）に連結された一方の繋止紐８３ａを通すためのボトム・リム５３に設けられた孔部である。
【００２２】
図２は、もう一方の繋止紐８３ｂを繋止する繋止具３０を示しており、図１における構成要素と同一の構成要素については、同じ符号を付している。本発明によるスネア・ドラム１における繋止具３０が従来例における繋止具７０と異なるところは、隣り合う２つのラグ２０ｃ，２０ｄに固定された、狭幅の板状の支持部材３４により支持されていることである。支持部材部材３４の固定方法は、ストレイナ１０（図１）が取り付けられた支持部材１４の固定方法と同じである。
【００２３】
このように、本発明によるスネア・ドラム１では、ストレイナ１０および繋止具３０が、それぞれ２つのラグ２０ａ〜ｄに固定された支持部材１４，３４により支持されている。すなわち、図３（ａ）に示すように、ストレイナ１０は、シェル５１Ｂに当接することなく、これより一定の距離をおいた部位に配設されている。これに伴い、シェル５１Ｂには、従来例におけるようなストレイナ６０をシェル５１に取り付けるねじ６５（図７（ａ））を通すための孔が穿設されていない。
【００２４】
同様に、図３（ｂ）に示すように、繋止具３０もシェル５１Ｂに当接することなく配設され、また、シェル５１Ｂには、従来例におけるような繋止具７０をシェル５１に取り付けるねじ７４（図７（ｂ））を通す孔が穿設されていない。なお、繋止具３０自体の構成は、従来例における繋止具７０と実質的には同じであり、ねじ３１と、ねじ３１が回ることにより押圧される、繋止紐８３ｂを押止する押止板３２と、押止板３２により押止される繋止紐８３ｂを受ける板状の受け部３３とにより構成されている。以上説明した構成要素以外の構成要素は、従来例と同じである。
【００２５】
図４は、以上のように構成された本発明によるスネア・ドラム１の打音と、従来例の打音との比較実験の結果を示すパワー・スペクトラムを表している。ここで、実験では、本発明によるスネア・ドラム１も従来例もともに、最も標準的なサイズである鼓面の直径が14インチでシェル５０，５０Ｂの深さが５インチのものを使用し、スネア８０もともに14インチ用の内面当たり（響線８１（図６）の数は31本）を使用している。シェル５０，５０Ｂの素材は、ともにメープルの単板（肉厚は５mm）である。また、叩打面であるトップ・ヘッドと、ボトム・ヘッド５７のそれぞれの張りを、衝撃に対する反発力が同一となるように調整したうえで、叩打装置により同一の叩打力をトップ・ヘッドにそれぞれ１打加えている。
【００２６】
図４において、垂直軸は、音圧レベルすなわち打音の大きさを示しており、水平軸は、打音の周波数を対数軸で表現している。図中、波形Ａは、本発明によるスネア・ドラム１の打音の音圧レベルを表しており、波形Ｂは従来例の打音の音圧レベルを表している。
【００２７】
ここから明らかなように、本発明によるスネア・ドラム１の打音は、低音域から高音域にわたる全音域において、従来例の打音よりも10〜20dB（デシベル）程音圧レベルが高く、打音が大きくなっている。その結果、響線８１の長さがボトム・ヘッド５７（図６）の直径よりも短い内面当たりのスネア８０を用いても、響線の長さがボトム・ヘッド５７の直径よりも長く、響線がボトム・ヘッド５７に直径方向全体にわたって当接する全面当たりのスネアを用いた場合と同等またはそれ以上の打音を得ることができる。
【００２８】
とくに、低音域においては20dB以上高くなっており、低音が顕著に現れ重量感にあふれた力強い低音が出ることを示している。また、スネア８０には、シェル５１Ｂからの振動が加わらず、ボトム・ヘッド５７の振動のみが加わることから、まとまり感があって澄明感に富んだ打音となることが読み取れる。さらに、細かな音も出ることから、スティックの僅かな動きでもそれが打音となったり、あるいは、連続音であっても１つ１つの打音に分離感がある。したがって、スネア・ドラム１のプレイヤーの演奏技術や個性を発揮し表現することが可能となる。
【００２９】
以上においては、ストレイナ１０とこれを支持する支持部材１４、繋止具３０とこれを支持する支持部材３４とを、それぞれ別個の構成要素とする場合について説明した。しかし、本発明は、これに限定されるものではない。それぞれ２つのラグ２０ａ〜ｄに固定する支持手段を、ストレイナ１０および繋止具３０とそれぞれ一体成型とする場合にも、本発明は適用され得るものである。
【００３０】
また、各支持部材１４，３４をそれぞれ隣り合う２つのラグ２０ａ〜ｄに固定する場合について説明した。しかし、本発明は、これに限られるものではない。隣り合わない２つのラグに固定する場合、３つ以上のラグにわたって固定する場合、あるいは、単一のラグに固定する場合にも、本発明は適用し得るものである。
【００３１】
さらに、ストレイナ１０および繋止紐８３ａ，８３ｂの繋止具３０の支持手段と、ラグとを、それぞれ別個の構成要素とするのではなく一体成型とする場合にも、本発明は適用することができるものである。
【図面の簡単な説明】
【００３２】
【図１】本発明によるスネア・ドラムの要部の構成を示す部分側面図である。
【図２】本発明によるスネア・ドラムの他の要部の構成を示す部分側面図である。
【図３】図１および図２にそれぞれ示したストレイナおよび繋止具の構成並びに取付状態を示す構成図である。
【図４】本発明によるスネア・ドラムの打音のパワー・スペクトラム図である。
【図５】従来例の構成を示す側面図である。
【図６】図５に示した従来例の底面図である。
【図７】図５および図６に示したストレイナおよび繋止具の構成並びに取付状態を示す構成図である。
【符号の説明】
【００３３】
１  スネア・ドラム
１０  ストレイナ
１１  可動体
１２  ガイド部材
１３  レバー
１４  支持部材
２０ａ〜２０ｄ  ラグ
２１ａ〜２１ｄ  ナット
２２ａ〜２２ｄ  ねじ
３０  繋止具
３１  ねじ
３２  押止板
３３  受け部
３４  支持部材
５０  スネア・ドラム
５１，５１Ｂ  シェル
５２  トップ・リム
５３  ボトム・リム
５４ａ〜５４ｅ  ラグ
５５ａ−１，５５ａ−２  ねじ
５６ａ−１，５６ａ−２  頭部
５７  ボトム・ヘッド
５８ａ，５８ｂ  孔部
６０  ストレイナ
６１  可動体
６２  ガイド部材
６３  レバー
６４  ゴム板
６５  ねじ
６６  ナット
７０  繋止具
７１  ねじ
７２  押止板
７３  受け部
７４  ねじ
７５  ナット
８０  スネア
８１  響線
８２ａ，８２ｂ  棒材
８３ａ，８３ｂ  繋止紐
【図１】
2005258253.tif 000003
【図２】
2005258253.tif 000004
【図３】
2005258253.tif 000005
【図４】
2005258253.tif 000006
【図５】
2005258253.tif 000007
【図６】
2005258253.tif 000008
【図７】
2005258253.tif 000009